(57)【要約】【課題】ろ材を容易にしかも損傷させることなく交換することができ、しかもフィルタ枠の剛性を充分に高くするとともに、コストを低減することができるろ材交換型エアーフィルタを提供する。【解決手段】フィルタ枠３を、その下板４の左右端に形成された折曲部１２にそれぞれ左右の側板６，７の下端を固定して接合し、上板５を取外したときに、左右の側板６，７がそれぞれ、その自重により、前記折曲部１２を弾性変形させて上端側が枠外方に開く方向に傾くように構成した。【選択図】      図２
2006150219.tif 000002
【特許請求の範囲】
【請求項１】
ジグザグ形状のろ材と、前記ろ材をそのジグザグ状端を上下に向けた状態で交換可能に収容し、前記ろ材の周囲を気密状態に支持するフィルタ枠とを備え、
前記フィルタ枠は、前記ろ材の下端及び上端をそれぞれ支持する下板及び上板と、前記ろ材の両側をそれぞれ支持する左右の側板とからなり、前記下板及び上板のろ過空気流の下流側に対応する後縁にそれぞれ、その後縁から枠内側に張出し、前記ろ材の下端側部分及び上端側部分を前記下流側から受止めるとともに左右端において前記左右の側板に枠内側から当接するろ材受け部が設けられ、前記下板の左右端に前記左右の側板の下端がそれぞれ、前記下板と側板の一方の端部に形成された折曲部に他方の端部を固定して接合され、前記左右の側板を前記下板及び上板の前記ろ材受け部の左右端に当接させた状態で、これらの側板の上端に前記上板の左右端がそれぞれ取外し可能に結合されており、前記上板を取外したときに、前記左右の側板がそれぞれ、その自重により、前記折曲部を弾性変形させて上端側が枠外方に開く方向に傾くことを特徴とするろ材交換型エアーフィルタ。
【請求項２】
フィルタ枠の上板の左右端に、下方に折曲され、左右の側板の上端部をその外面から抱える側板抱え部が設けられており、前記側板の上端部と前記上板の前記側板抱え部とが、その一方に設けられた複数の突起と他方に設けられた複数の突起嵌合孔との嵌合またはビス止めにより結合されていることを特徴とする請求項１に記載のろ材交換型エアーフィルタ。
【請求項３】
フィルタ枠の下板及び上板の後縁に設けられたろ材受け部にそれぞれ複数の通風口が形成されていることを特徴とする請求項１または２に記載のろ材交換型エアーフィルタ。
【請求項４】
ろ材の両面側に複数本のジグザグ形状保持ビードが前記ろ材のジグザグ状端と平行に設けられており、ろ材受け部の複数の通風口は、前記ろ材の前記ビードを避けた部分に対応させて配列形成されていることを特徴とする請求項１または２に記載のろ材交換型エアーフィルタ。
【発明の詳細な説明】
【技術分野】
【０００１】
この発明は、ろ材交換型エアーフィルタに関する。
【背景技術】
【０００２】
ろ材交換型エアーフィルタは、ジグザグ形状のろ材を、そのジグザグ状端を上下に向けた状態で、ろ材周囲を気密状態に支持するフィルタ枠に交換可能に収容したものであり、前記ろ材は、前記ろ材の下端及び上端をそれぞれ支持する下板及び上板と、前記ろ材の両側をそれぞれ支持する左右の側板とからなっている。
【０００３】
この種のエアーフィルタには、従来、フィルタ枠を、下枠の左右端に左右の側板の下端を接合するとともに、左右の側板を、フィルタ枠内のろ材をろ過空気流の下流側から受止める複数本の横桟により連結し、前記左右の側板の上端に上板の左右端をそれぞれ取外し可能に結合した構成としたもの（特許文献１参照）と、フィルタ枠を、下枠の左右端に左右の側板の下端をそれぞれ枠外方に開く方向に傾動可能に支持させ、前記左右の側板の上端に上板の左右端をそれぞれ取外し可能に結合した構成としたもの（特許文献２参照）とがあり、いずれのエアーフィルタも、ろ材の交換は、前記上板を取外し、上方からろ材を出し入れすることにより行なわれている。
【特許文献１】特開２００３−８８７２０号公報
【特許文献２】特許第３４６００３２号公報
【発明の開示】
【発明が解決しようとする課題】
【０００４】
下枠の左右端に左右の側板の下端を接合するとともに左右の側板を複数本の横桟により連結したフィルタ枠を備えたエアーフィルタは、フィルタ枠の剛性が高い反面、ろ材の交換が面倒である。
【０００５】
すなわち、このエアーフィルタは、フィルタ枠の左右の側板の間隔が下板及び複数本の横桟により規定されているため、これらの側板間の寸法をろ材の横幅（ジグザグ状に折曲された方向の幅）以下に設定し、前記ろ材の両側を、ジグザグ形状のろ材の弾力により前記左右の側板の内面に気密状態に接触させている。
【０００６】
そのため、このエアーフィルタは、フィルタ枠の上板を取外してろ材を交換する際に、ろ材の両側がフィルタ枠の左右の側板の内面や、これらの側板の上端に設けられた上板結合部に引っ掛かることがあり、したがって、ろ材の交換が面倒で、前記ろ材の材質によっては、そのろ材が前記側板の上板結合部への引っ掛かりにより損傷してしまうこともある。
【０００７】
一方、下枠の左右端に左右の側板の下端をそれぞれ枠外方に開く方向に傾動可能に支持させ、前記左右の側板の上端に上板の左右端をそれぞれ取外し可能に結合たフィルタ枠を備えたエアーフィルタは、前記フィルタ枠の上板を取外し、左右の側板を枠外方に開く方向に傾動させることにより、ろ材を抵抗無く出し入れすることができ、したがって、ろ材を容易にしかも損傷させることなく交換することができる。
【０００８】
しかし、このエアーフィルタは、フィルタ枠が、下枠の左右端に左右の側板の下端を傾動可能に支持させた構成であるため、フィルタ枠の剛性が弱く、フィルタ枠を横方向に押し引きする場合に菱形状変形を生じやすい。
【０００９】
そのため、このエアーフィルタは、フィルタ据付け部への横スライド等による押込みや引出しに際して、フィルタ枠の菱形状変形により内部のろ材を損傷させてしまうことがある。
【００１０】
しかも、このエアーフィルタは、フィルタ枠の左右の側板の開き過ぎを防ぐために、前記左右の側板同士を伸縮可能な連結部材により連結して前記側板の開き角を規制する必要があり、そのために、フィルタ枠の構造が複雑で、コスト高になる。
【００１１】
この発明は、ろ材を容易にしかも損傷させることなく交換することができ、しかもフィルタ枠の剛性を充分に高くするとともに、コストを低減することができるろ材交換型エアーフィルタを提供することを目的としたものである。
【課題を解決するための手段】
【００１２】
この発明のろ材交換型エアーフィルタは、ジグザグ形状のろ材と、前記ろ材をそのジグザグ状端を上下に向けた状態で交換可能に収容し、前記ろ材の周囲を気密状態に支持するフィルタ枠とを備え、前記フィルタ枠は、前記ろ材の下端及び上端をそれぞれ支持する下板及び上板と、前記ろ材の両側をそれぞれ支持する左右の側板とからなり、前記下板及び上板のろ過空気流の下流側に対応する後縁にそれぞれ、その後縁から枠内側に張出し、前記ろ材の下端側部分及び上端側部分を前記下流側から受止めるとともに左右端において前記左右の側板に枠内側から当接するろ材受け部が設けられ、前記下板の左右端に前記左右の側板の下端がそれぞれ、前記下板と側板の一方の端部に形成された折曲部に他方の端部を固定して接合され、前記左右の側板を前記下板及び上板の前記ろ材受け部の左右端に当接させた状態で、これらの側板の上端に前記上板の左右端がそれぞれ取外し可能に結合されており、前記上板を取外したときに、前記左右の側板がそれぞれ、その自重により、前記折曲部を弾性変形させて上端側が枠外方に開く方向に傾くことを特徴とする。
【００１３】
このエアーフィルタにおいては、前記フィルタ枠の上板の左右端に、下方に折曲され、左右の側板の上端部をその外面から抱える側板抱え部を設け、前記側板の上端部と前記上板の前記側板抱え部とを、その一方に設けられた複数の突起と他方に設けられた複数の突起嵌合孔との嵌合またはビス止めにより結合するのが望ましい。
【００１４】
また、このエアーフィルタにおいては、前記フィルタ枠の下板及び上板の後縁に設けられたろ材受け部にそれぞれ複数の通風口を形成するのが望ましい。
【００１５】
その場合、前記ろ材受け部の複数の通風口は、前記ろ材のジグザグ形状保持ビードを避けた部分に対応させて配列形成するのが好ましい。
【発明の効果】
【００１６】
この発明のろ材交換型エアーフィルタは、フィルタ枠を、その下板の左右端に左右の側板の下端をそれぞれ、前記下板と側板の一方の端部に形成された折曲部に他方の端部を固定して接合し、上板を取外したときに、前記左右の側板がそれぞれ、その自重により、前記折曲部を弾性変形させて上端側が枠外方に開く方向に傾くように構成したものであるため、ろ材を、容易にしかも損傷させることなく交換することができる。
【００１７】
しかも、このエアーフィルタは、前記フィルタ枠の下板及び上板の後縁にそれぞれ、その後縁から枠内側に張出し、前記ろ材の下端側部分及び上端側部分をろ過空気流の下流側から受止めるろ材受け部を設けているため、この下板及び上板がＬ型アングル材のような強度を有しており、また、下板の左右端に左右の側板の下端を前記折曲部を介して接合し、前記左右の側板を下板及び上板のろ材受け部の左右端に当接させた状態で、これらの側板の上端に上板の左右端をそれぞれ取外し可能に結合しているため、前記フィルタ枠の剛性を充分に高くすることができる。
【００１８】
さらに、このエアーフィルタは、前記フィルタ枠の上板を取外したときの左右の側板の自重による枠外方への開き角が、前記折曲部の弾性変形による角度変化の範囲内であるため、前記側板が開き過ぎることは無く、したがって、特許文献１のように左右の側板同士を伸縮可能な連結部材により連結して前記側板の開き角を規制する必要は無いため、フィルタ枠の構成をシンプルにし、コストを低減することができる。
【００１９】
このエアーフィルタにおいては、前記フィルタ枠の上板の左右端に、下方に折曲され、左右の側板の上端部をその外面から抱える側板抱え部を設け、前記側板の上端部と前記上板の前記側板抱え部とを、その一方に設けられた複数の突起と他方に設けられた複数の突起嵌合孔との嵌合またはビス止めにより結合するのが望ましく、このようにすることにより、左右の側板の上端への上板の取付け及び取外しを簡単にし、ろ材の交換をより容易にすることができる。
【００２０】
また、このエアーフィルタにおいては、前記フィルタ枠の下板及び上板の後縁に設けられたろ材受け部にそれぞれ複数の通風口を形成するのが望ましく、このようにすることにより、通風量を充分に確保することができる。
【００２１】
その場合、前記ろ材受け部の複数の通風口は、前記ろ材のジグザグ形状保持ビードを避けた部分に対応させて配列形成するのが好ましく、このようにすることにより、通風量をさらに充分に確保することができる。
【発明を実施するための最良の形態】
【００２２】
図１〜図６はこの発明の一実施例を示しており、図１はろ材交換型エアーフィルタの斜視図、図２は前記エアーフィルタの分解斜視図、図３及び図４はフィルタ枠の上板及び下板の後縁部分の拡大断面図、図５は前記上板と側板の結合部の拡大断面図、図６は前記下板と側板の接合部の拡大断面図である。
【００２３】
ろ材交換型エアーフィルタは、ジグザグ形状のろ材１と、このろ材１をそのジグザグ状端を上下に向けた状態で交換可能に収容し、ろ材１の周囲を気密状態に支持するフィルタ枠３とを備えている。
【００２４】
ろ材１は、ガラス繊維または合成樹脂繊維の不織布等をジグザグに折曲加工したものであり、その両面側に、各ジグザグ状折曲部をつなぐ複数本のジグザグ形状保持ビード２がろ材１のジグザグ状端と平行に設けられている。
【００２５】
フィルタ枠３は、ろ材１のジグザグ状の下端及び上端をそれぞれ支持する下板４及び上板５と、ろ材１の両側をそれぞれ支持する左右の側板６，７とからなっており、これらの下板４及び上板５と側板６，７は金属板または合成樹脂板により形成されている。
【００２６】
そして、前記下板４と上板５にはそれぞれ、前記ろ材１を通るろ過空気流の下流側（二次側）に対応する後縁に、その略全長にわたって、前記後縁から枠内側に垂直に張出し、ろ材１の上下の端部側部分を前記下流側から受止めるとともに左右端において左右の側板６，７に枠内側から当接するろ材受け部８，９が一体的に設けられている。
【００２７】
前記下板４とそのろ材受け部８は１枚の金属板の折曲加工により一体に形成され、上板５とそのろ材受け部９も１枚の金属板の折曲加工により一体に形成されており、また、下板４及び上板５のろ材受け部８，９はそれぞれ、図３及び図４に示したように、その張出し端縁をろ材受け部８，９の内面側に折曲させ、その折曲部においてろ材１をろ過空気流の下流側から受止めるように構成されている。
【００２８】
そして、前記下板４及び上板５のろ材受け部８，９にはそれぞれ、複数の通風口１０，１１が形成されており、これらの通風口１０，１１は、前記ろ材１のジグザグ形状保持ビード２を避けた部分に対応させて配列形成されている。
【００２９】
この実施例では、図３及び図４のように、下板４のろ材受け部８と上板５のろ材受け部９にそれぞれ、ろ材端縁とその端縁に最も近いビード２との間の部分と、前記端縁に最も近いビード２とその次のビード２との間の部分とに対応させて上下２列に複数の通風口１０，１１を形成し、ろ材１の前記ビード２に、ろ材受け部８，９の張出し端と２列の通風口間の横桟部が対応するようにしている。
【００３０】
また、下板４及び上板５のろ過空気流の上流側（一次側）に対応する前縁には、その全長にわたって、ろ過空気流に影響しない突出高さを有し、下板４及び上板５を補強するとともにろ材１の端縁部を前記上流側から抱える突出部４ａ，５ａが折曲形成されている。
【００３１】
さらに、下板４の左右端には、この下板４から上方に垂直に折曲された折曲部１２が形成されており、左右の側板６，７の下端部はそれぞれ、その外面を前記折曲部１２の内面に密接させて前記折曲部１２にリベット１３により固定することにより、前記下板４の左右端に接合されている。
【００３２】
一方、上板５の左右端には、この上板５から下方に垂直に折曲され、左右の側板６，７の上端部をそれぞれその外面から抱える側板抱え部１４が設けられており、さらに、左右の側板６，７の上端部の外面には複数の突起１５が設けられ、上板５の左右端の側板抱え部１４には前記複数の突起１５に嵌合する複数の突起嵌合孔１６が設けられている。
【００３３】
そして、下板４の左右端の折曲部１２に下端部を固定された左右の側板６，７はそれぞれ、その内面を前記下板４及び上板５のろ材受け部８，９の左右端に当接させることにより垂直に立てられ、その状態で、これらの側板６，７の上端に上板５の左右端がそれぞれ、その側板抱え部１４を側板上端部の外面に嵌合させ、前記複数の突起１５をその嵌合孔１６に嵌合させて取外し可能に結合されている。
【００３４】
なお、前記左右の側板６，７の前後縁にはそれぞれ、その全長にわたって、ろ過空気流に影響しない突出幅を有し、側板６，７を補強するとともにろ材１の側縁部をろ過空気流の上流側と下流側から抱える突出部６ａ，７ａが折曲形成されており、これらの突出部６ａ，７ａは、左右の側板６，７を垂直に立てた状態で、下板４及び上板５の左右端をその前後方向から抱えるようになっている。
【００３５】
また、前記下板４及び上板５と左右の側板６，７の内面には、その略全体にわたって、ろ材１の周囲を気密状態に支持するための弾性シール材１７（図３〜図６参照）が設けられている。
【００３６】
このエアーフィルタは、ろ材１の交換を、フィルタ枠３の上板５を取外し、フィルタ枠３の上方からろ材１を出し入れさせて行なわせるものであり、前記フィルタ枠３の左右の側板６，７はそれぞれ、前記上板５を取外したときに、側板６，７の自重により図２のように上端側が枠外方に開く方向に傾く。
【００３７】
このエアーフィルタは、フィルタ枠３を、その下板４の左右端に左右の側板６，７の下端をそれぞれ、前記下板４の左右端に形成された折曲部１２にリベット１３により固定して接合し、上板５を取外したときに、前記左右の側板６，７がそれぞれ、その自重により、前記折曲部１２を弾性変形させて上端側が枠外方に開く方向に傾くように構成したものであるため、フィルタ枠３の上板５を取外して行なうろ材１の交換に際して、前記ろ材１を抵抗無く出し入れすることができ、したがって、ろ材を容易にしかも損傷させることなく交換することができる。
【００３８】
しかも、このエアーフィルタは、フィルタ枠３の下板４及び上板５の後縁にそれぞれ、その後縁から枠内側に張出し、ろ材１の下端側部分及び上端側部分をろ過空気流の下流側から受止めるろ材受け部８，９を設けているため、この下板４及び上板５がＬ型アングル材のような強度を有しており、また、下板４の左右端に左右の側板６，７の下端を前記折曲部１２を介して接合し、前記左右の側板６，７を下板４及び上板５のろ材受け部８，９の左右端に当接させた状態で、これらの側板６，７の上端に上板５の左右端をそれぞれ取外し可能に結合しているため、フィルタ枠３の剛性を充分に高くすることができ、したがって、フィルタ据付け部への横スライド等による押込みやに引出しに際して、フィルタ枠３が菱形状に変形して内部のろ材１を損傷させることは無い。
【００３９】
さらに、このエアーフィルタは、フィルタ枠３の上板５を取外したときの左右の側板６，７の自重による枠外方への開き角が、前記折曲部１２の弾性変形による角度変化の範囲内であるため、前記側板６，７が開き過ぎることは無く、したがって、特許文献１のように左右の側板同士を伸縮可能な連結部材により連結して前記側板の開き角を規制する必要は無いため、フィルタ枠３の構成をシンプルにし、コストを低減することができる。
【００４０】
また、このエアーフィルタは、フィルタ枠３の上板５の左右端に、下方に折曲され、左右の側板６，７の上端部をその外面から抱える側板抱え部１４を設け、前記側板６，７の上端部と上板５の側板抱え部１４とを、その一方に設けられた複数の突起１５と他方に設けられた複数の突起嵌合孔１６との嵌合により結合しているため、左右の側板６，７の上端への上板５の取付け及び取外しを簡単にし、ろ材１の交換をより容易にすることができる。
【００４１】
また、このエアーフィルタは、フィルタ枠３の下板４及び上板５の後縁に設けられたろ材受け部８，９にそれぞれ複数の通風口１０，１１を形成しているため、通風量を充分に確保することができる。
【００４２】
さらに、上記実施例では、前記ろ材受け部８，９の複数の通風口１０，１１を、ろ材１のジグザグ形状保持ビード２を避けた部分に対応させて配列形成しているため、通風量をさらに充分に確保することができる。
【００４３】
なお、上記実施例では、フィルタ枠３の下板４とそのろ材受け部８及び上板５とそのろ材受け部９を、それぞれ１枚の金属板により一体に形成しているが、前記ろ材受け部８，９を下板４及び上板５とは別に形成し、前記下板４及び上板５の後縁にリベット等により固定してもよい。
【００４４】
また、上記実施例では、フィルタ枠３の下板４の左右端に折曲部１２を形成し、左右の側板６，７の下端部を前記折曲部１２に固定しているが、それと逆に、左右の側板６，７の下端に折曲部を形成し、その折曲部を下板４の左右端にリベット等により固定してもよい。
【００４５】
さらに、上記実施例では、フィルタ枠３の上板５の左右端に設けた側板抱え部１４を、左右の側板６，７の上端部に、複数の突起１５とその嵌合孔１６との嵌合により結合しているが、前記上板５の側板抱え部１４を前記側板６，７の上端部にビス止めにより結合してもよく、その場合も、左右の側板６，７の上端への上板５の取付け及び取外しを簡単に行なうことができる。
【図面の簡単な説明】
【００４６】
【図１】この発明の一実施例を示すろ材交換型エアーフィルタの斜視図。
【図２】前記エアーフィルタの分解斜視図。
【図３】フィルタ枠の上板の後縁部分の拡大断面図。
【図４】フィルタ枠の下板の後縁部分の拡大断面図。
【図５】フィルタ枠の上板と側板の結合部の拡大断面図。
【図６】フィルタ枠の下板と側板の接合部の拡大断面図。
【符号の説明】
【００４７】
１…ろ材、２…ジグザグ形状保持ビード、３…フィルタ枠、４…下板、５…上板、６，７…側板、８，９…ろ材受け部、１０，１１…通風口、１２…折曲部、１３…リベット、１４…側板抱え部、１５…突起、１６…突起嵌合孔、１７…弾性シール材。
【図１】
2006150219.tif 000003
【図２】
2006150219.tif 000004
【図３】
2006150219.tif 000005
【図４】
2006150219.tif 000006
【図５】
2006150219.tif 000007
【図６】
2006150219.tif 000008